(57)【要約】      （修正有）【課題】縫合システム、この縫合システムを適用するための器具、およびこの器具を使用してこの縫合システムを適用するための方法を提供する。【解決手段】少なくとも１つの針２０であって、テーパ状の端部、および該テーパ状の端部を横切る溝を有し、該溝は、縫合糸１０の一部分を受容して取り外し可能に保持する。開口部分を規定する本体を有する少なくとも１つの保持具３０であって、該開口部分の形状は、中心通路と、該中心通路から半径方向外向きに延びる直径方向に対向する１対のスロットとにより規定され、該中心通路は、該中心通路を通る該針の通過を可能にするようなサイズにされ、各スロットは、締め付け路セクションを規定し、該締め付け路セクションは、第一の方向への該縫合糸の通過を可能にし、そして第二の方向への該縫合糸の通過を妨げる縫合糸１０を受容して保持するための縫合システム。【選択図】図１
2011147770.tif 000002
【特許請求の範囲】
【請求項１】
縫合糸；
少なくとも１つの針であって、該針は、テーパ状の端部、および該テーパ状の端部を横切る溝を有し、該溝は、該縫合糸の一部分を受容して取り外し可能に保持する、少なくとも１つの針；ならびに
開口部分を規定する本体を有する少なくとも１つの保持具であって、該開口部分の形状は、中心通路と、該中心通路から半径方向外向きに延びる直径方向に対向する１対のスロットとにより規定され、該中心通路は、該中心通路を通る該針の通過を可能にするようなサイズにされ、各スロットは、締め付け路セクションを規定し、該締め付け路セクションは、第一の方向への該縫合糸の通過を可能にし、そして第二の方向への該縫合糸の通過を妨げる、保持具、
を備える、縫合糸を受容して保持するための縫合システム。
【請求項２】
前記開口部分が、実質的に円形の中心と、該実質的に円形の中心から半径方向外向きに延びる２つの対向する矩形とにより規定される、断面がФ字型の穴を、前記本体に形成する、請求項１に記載の縫合システム。
【請求項３】
各保持具が吸収性である生体適合性材料から構築されている、請求項１に記載の縫合システム。
【請求項４】
前記締め付け路セクションが、前記スロットの側壁から延びる少なくとも１つの突出部により規定される、請求項１に記載の縫合システム。
【請求項５】
前記少なくとも１つの突出部が、遠位表面、近位表面、および頂点を有し、該遠位表面が、該近位表面の面積より大きい面積を有する、請求項４に記載の縫合システム。
【請求項６】
前記締め付け路セクションが２つの突出部により規定されており、各突出部が頂点を有し、該頂点が互いに隣接して位置している、請求項１に記載の縫合システム。
【請求項７】
前記隣接する頂点がすぐ近くに近接している、請求項６に記載の縫合システム。
【請求項８】
前記締め付け路セクションが２つの突出部により規定されており、各突出部が頂点を有し、該頂点が互いからずれている、請求項１に記載の縫合システム。
【請求項９】
各保持具が、楕円形、円形、三角形、および矩形からなる群より選択される形状の外周を有する、請求項１に記載の縫合システム。
【請求項１０】
前記中心通路が実質的に円錐の形状を有する、請求項１に記載の縫合システム。
【請求項１１】
前記縫合糸が、一連のテーパ状のセクションを有し、該テーパ状のセクションが、前記縫合糸保持具の前記締め付け路セクション内での該縫合糸の保持を補助するような構成にされている、請求項１に記載の縫合システム。
【請求項１２】
本体；
縫合糸；ならびに
該本体から延びる一連の針であって、該針の各々が、テーパ状の近位端、および該テーパ状の近位端を横切る溝を有し、該溝は、該針の該テーパ状の近位端内に該縫合糸の一部分を取り外し可能に固定するようなサイズにされており、該一連の針は、該溝が、隣接する位置に位置する少なくとも１つの他の針の溝と整列するように配置されている、一連の針、
を備える、外科手術用ステープル留め型のデバイスと共に使用するための縫合糸カートリッジ。
【発明の詳細な説明】
【技術分野】
【０００１】
本願は、外科手術用縫合デバイスに関する。より特定すると、本開示は、縫合システム、この縫合システムを適用するための器具、およびこの器具を使用してこの縫合システムを適用するための方法に関する。
【背景技術】
【０００２】
外科手術用ファスナー適用デバイスは、周知であり、これらのデバイスにおいて、対向する顎構造体が選択された組織を把持およびクランプし、次いで、この組織が外科手術用ファスナーにより接合される。代表的に、これらの顎部材のうちの一方は、２つ以上の直線の列で配置された複数のステープルを収容するカートリッジを備え、そして他方の顎部材は、これらのステープルのレッグを受容して形成するための複数のステープル形成ポケットを有するアンビルを備える。例えば、直線ステープル留め器具は、２つの細長顎部材を備え、これらの顎部材は、組織を捕捉またはクランプするために互いに対して移動可能である。
【０００３】
二部分ファスナーを利用する外科手術用ファスナー適用デバイスもまた公知である。二部分ファスナーは、棘付きファスナーを備え、この棘付きファスナーは、このファスナーを適所に保持するための保持具片と組み合わせて使用される。代表的に、二部分ファスナーは、１つのバックスパンおよび２つの棘付きプロングを備え、これらの棘付きプロングは、別の保持具片に係合されてロックされる。使用において、このファスナーは、身体組織内に押し込まれ、その結果、これらの棘が組織に貫入し、そして他方の側から出現し、次いでこの出現した側でこれらの棘が保持具片内にロックされる。これらの保持具は、このファスナーが組織から緩むことを防止する。これらの二片ファスナーは、ロック解除が不可能であり、容易に取り外し可能ではない。この理由により、これらの二片ファスナーは代表的に、生体吸収性材料から作製される。
【発明の概要】
【課題を解決するための手段】
【０００４】
本発明は、例えば、以下を提供する：
（項目１）
縫合糸；
少なくとも１つの針であって、該針は、テーパ状の端部、および該テーパ状の端部を横切る溝を有し、該溝は、該縫合糸の一部分を受容して取り外し可能に保持する、少なくとも１つの針；ならびに
開口部分を規定する本体を有する少なくとも１つの保持具であって、該開口部分の形状は、中心通路と、該中心通路から半径方向外向きに延びる直径方向に対向する１対のスロットとにより規定され、該中心通路は、該中心通路を通る該針の通過を可能にするようなサイズにされ、各スロットは、締め付け路セクションを規定し、該締め付け路セクションは、第一の方向への該縫合糸の通過を可能にし、そして第二の方向への該縫合糸の通過を妨げる、保持具、
を備える、縫合糸を受容して保持するための縫合システム。
（項目２）
上記開口部分が、実質的に円形の中心と、該実質的に円形の中心から半径方向外向きに延びる２つの対向する矩形とにより規定される、断面がФ字型の穴を、上記本体に形成する、上記項目に記載の縫合システム。
（項目３）
各保持具が吸収性である生体適合性材料から構築されている、上記項目のうちのいずれかに記載の縫合システム。
（項目４）
上記締め付け路セクションが、上記スロットの側壁から延びる少なくとも１つの突出部により規定される、上記項目のうちのいずれかに記載の縫合システム。
（項目５）
上記少なくとも１つの突出部が、遠位表面、近位表面、および頂点を有し、該遠位表面が、該近位表面の面積より大きい面積を有する、上記項目のうちのいずれかに記載の縫合システム。
（項目６）
上記締め付け路セクションが２つの突出部により規定されており、各突出部が頂点を有し、該頂点が互いに隣接して位置している、上記項目のうちのいずれかに記載の縫合システム。
（項目７）
上記隣接する頂点がすぐ近くに近接している、上記項目のうちのいずれかに記載の縫合システム。
（項目８）
上記締め付け路セクションが２つの突出部により規定されており、各突出部が頂点を有し、該頂点が互いからずれている、上記項目のうちのいずれかに記載の縫合システム。
（項目９）
各保持具が、楕円形、円形、三角形、および矩形からなる群より選択される形状の外周を有する、上記項目のうちのいずれかに記載の縫合システム。
（項目１０）
上記中心通路が実質的に円錐の形状を有する、上記項目のうちのいずれかに記載の縫合システム。
（項目１１）
上記縫合糸が、一連のテーパ状のセクションを有し、該テーパ状のセクションが、上記縫合糸保持具の上記締め付け路セクション内での該縫合糸の保持を補助するような構成にされている、上記項目のうちのいずれかに記載の縫合システム。
（項目１２）
本体；
縫合糸；ならびに
該本体から延びる一連の針であって、該針の各々が、テーパ状の近位端、および該テーパ状の近位端を横切る溝を有し、該溝は、該針の該テーパ状の近位端内に該縫合糸の一部分を取り外し可能に固定するようなサイズにされており、該一連の針は、該溝が、隣接する位置に位置する少なくとも１つの他の針の溝と整列するように配置されている、一連の針、
を備える、外科手術用ステープル留め型のデバイスと共に使用するための縫合糸カートリッジ。
（項目１３）
上記縫合糸が一連のテーパ状セクションを有する、上記項目に記載の縫合糸カートリッジ。
（項目１４）
上記縫合糸が吸収性である生体適合性材料から作製されている、上記項目のいずれかに記載の縫合糸カートリッジ。
（項目１５）
カートリッジ本体；および
該カートリッジ本体内に取り外し可能に固定されるように構成された少なくとも１つの縫合糸保持具であって、該保持具は、開口部分を規定する本体を有し、該開口部分の形状は、長手方向軸を規定する中心通路、および該中心通路から半径方向外向きに延びる直径方向に対向する１対のスロットにより規定されており、該中心通路は、該中心通路を通る該針の通過を可能にするようなサイズにされており、各スロットは、締め付け路セクションを規定し、該締め付け路セクションは、第一の方向への該縫合糸の通過を可能にし、そして第二の方向への該縫合糸の通過を妨げる、少なくとも１つの縫合糸保持具、
を備える、外科手術用ステープル留め型のデバイスと共に使用するための縫合糸保持具カートリッジ。
（項目１６）
上記縫合糸保持具が生体吸収性である生体適合性材料から構築されている、上記項目に記載の縫合糸保持具カートリッジ。
（項目１７）
上記カートリッジ本体が、内部に複数の縫合糸保持具を取り外し可能に固定するように構成されている、上記項目のうちのいずれかに記載の縫合糸保持具カートリッジ。
（項目１８）
ハンドルアセンブリ；
該ハンドルアセンブリから遠位に延びる細長部材であって、長手方向軸および遠位端を規定する、細長部材；
該細長部材の該遠位端に取り付けられたエンドエフェクタであって、第一の顎および第二の顎を有する、エンドエフェクタ；
該細長部材を通して該エンドエフェクタに作動可能に接続された起動機構；
該エンドエフェクタの該第一の顎内に取り外し可能に固定された縫合糸；ならびに
該エンドエフェクタの該第二の顎内に取り外し可能に固定された縫合糸保持具であって、該縫合糸保持具は、少なくとも１つの開口部分を有し、該開口部分は、該縫合糸を第一の方向で受容し、そして第二の方向への該縫合糸の取り外しを妨げるように構成されている、縫合糸保持具、
を備える、外科手術用縫合器具。
（項目１９）
上記第一の顎が、交換可能な縫合糸カートリッジをさらに備え、該縫合糸カートリッジは、該第一の顎内に上記縫合糸を取り外し可能に固定し、そして該縫合糸カートリッジは、一連の針を備え、該針の各々が、該縫合糸を受容して取り外し可能に保持するための溝を有する、上記項目に記載の外科手術用縫合器具。
（項目２０）
上記第二の顎が、交換可能な縫合糸保持具カートリッジをさらに備え、該縫合糸保持具カートリッジは、上記縫合糸保持具を該第二の顎内に取り外し可能に固定する、上記項目のうちのいずれかに記載の外科手術用縫合器具。
【０００５】
（摘要）
縫合糸を受容して保持するための縫合システムが開示され、この縫合システムは、縫合糸、少なくとも１つの保持具、および少なくとも１つの針を備える。各針は、テーパ状の端部に位置する溝内に縫合糸を受容して取り外し可能に保持し得る。この保持具は、本体を有し、この本体は、この本体を通る開口部分を規定する。この開口部分の形状は、中心通路と、この中心通路から半径方向外向きに延びる、直径方向に対向する１対のスロットとにより形成される。この中心通路は、この中心通路を通る針の通過を可能にするようなサイズにされる。各スロットは、締め付け路セクションを規定し、この締め付け路セクションは、第一の方向への縫合糸の通過を可能にし、そして第二の方向への縫合糸の通過を妨げる。
【０００６】
（要旨）
本開示は、縫合糸を受容して保持するための縫合システムに関し、この縫合システムは、ある量の縫合糸または縫合糸の一部、少なくとも１つの針、および少なくとも１つの保持具を備える。各針は、縫合糸を受容して取り外し可能に保持する能力を有する。縫合糸と保持具との両方が、患者の身体により吸収可能な生体適合性材料から作製され得る。各保持具は、本体を備え、この本体は、この本体を通る開口部分を規定する。
【０００７】
この縫合糸の開口部分の形状は、長手方向軸を規定する中心通路、および直径方向に対向する１対のスロットにより形成される。これらのスロットは、この中心通路から半径方向外向きに延びる。この中心通路とこれらの直径方向に対向するスロットとは、実質的に円形の中心と、この実質的に円形の中心から半径方向外向きに延びる２つの対向する矩形とにより規定される、Ф字型の断面の穴を本体内に形成する。この中心通路は、この中心通路を通る針の通過を可能にするようなサイズにされる。
【０００８】
これらの直径方向に対向するスロットは、この本体の長手軸方向の長さに延び、そして締め付け路セクションを規定する。この締め付け路セクションは、第一の方向への縫合糸の通過を可能にし、そして第二の方向への縫合糸の通過を妨げる。この締め付け路は、このスロットの側壁から延びる少なくとも１つの突出部により規定される。この少なくとも１つの突出部は、遠位表面、近位表面、および頂点を有する。この突出部の遠位表面は、この突出部の近位表面の面積より大きい面積を有する。
【０００９】
本明細書中で議論されるように、この締め付け路セクションは、頂点が互いからずれている２つの突出部を有し、その結果、一方の頂点が、他方の頂点よりも長手軸方向に高い位置にある。これらの頂点は互いに隣接し、すぐ近くに近接していることもまた想定される。この締め付け路セクションはまた、１つの突出部、または２つより多くの突出部のいずれかを含み得る。
【００１０】
本明細書中で議論されるように、この縫合糸は、従来の円筒形の形状であるが、この縫合糸が、縫合糸保持具の締め付け路セクション内でのこの縫合糸の保持を補助するように構成された、一連のテーパ状のセクションを備えることが想定される。
【００１１】
本体の外周は、一般に、楕円形、円形、三角形または矩形の形状である。この本体は、これらの形状のうちの１つ以上を一緒に結びつける外周を有することもまた想定される。
【００１２】
この中心通路が実質的に円錐の形状を有することもまた想定される。
【００１３】
本明細書中にはまた、外科手術用縫合器具が開示され、この外科手術用縫合器具は、ハンドルアセンブリ、細長部材、エンドエフェクタ、および縫合システムを患者の組織内に適用するための起動機構を備える。この起動機構は、ハンドルアセンブリ内に位置し、そしてこの細長部材を介してこのエンドエフェクタに作動可能に接続される。この細長部材は、このハンドルアセンブリから遠位に延び、そして長手方向軸、近位端、および遠位端を規定する。このエンドエフェクタは、この細長部材の遠位端に取り付けられる。このエンドエフェクタは、第一の顎または縫合糸顎、および第二の顎または保持具顎を有する。この縫合糸顎は、取り外し可能に固定された少なくとも１つの縫合糸を有する縫合糸カートリッジを有し、そしてこの保持具顎は、取り外し可能に固定された少なくとも１つの保持具を有する保持具カートリッジを有する。この縫合糸カートリッジとこの保持具カートリッジとの両方は、交換可能であり、そしてそれぞれの顎内に取り外し可能に固定される。
【００１４】
この縫合糸カートリッジは、本体および一連の針を備える。各針は、この本体から延び、そしてテーパ状の近位端および溝またはスロットを有する。この溝またはスロットは、このテーパ状の近位端を横切っており、縫合糸を受容して内部に取り外し可能に保持するためのものである。この一連の針は、各針の溝が、隣接する位置に位置する少なくとも１つの他の針の溝と整列するように、配置される。
【００１５】
この保持具カートリッジは、一連の穴を有する本体を備える。これらの保持具は、針のうちの１つがこの保持具を通過してこの穴に入ることを可能にするように、これらの穴の周りに配置される。
【００１６】
添付の図面は、本明細書に組み込まれ、本明細書の一部を構成し、本開示の実施形態を図示し、そして上に与えられた本開示の一般的な説明および以下に与えられる実施形態の詳細な説明と一緒になって、本開示の原理を説明する役に立つ。
【図面の簡単な説明】
【００１７】
【図１】図１は、本開示の原理に従う縫合システムの斜視図であり、１本の縫合糸、複数の針、および複数の保持具を図示する。
【図２】図２は、針および縫合糸の斜視図である。
【図３】図３は、図１の保持具の上平面図である。
【図４】図４は、頂点が互いからずれている、図３の切断線４−４に沿って見た図１の保持具の側断面図である。
【図４ａ】図４ａは、頂点が互いに隣接している、図４の保持具の別の実施形態の側断面図である。
【図５】図５は、縫合システムおよび組織の斜視図である。
【図６】図６は、針および縫合糸が組織に入っている、組織を通る縫合システムの側面図である。
【図７】図７は、針および縫合糸が保持具に入っている、縫合システムの側面図である。
【図８】図８は、針および縫合糸が保持具に挿入された、縫合システムの側面図である。
【図９】図９は、針が引き込まれた縫合システムの側面図である。
【図１０】図１０は、保持具内に配置された縫合糸の側断面図である。
【図１１】図１１は、本開示の別の実施形態の原理に従う外科手術用装置の斜視図である。
【図１２】図１２は、図１１の外科手術用装置の保持具顎および保持具カートリッジの斜視図である。
【図１３】図１３は、保持具が保持具カートリッジから分離されている、保持具顎の一部分の斜視図である。
【図１４】図１４は、図１１の外科手術用装置の縫合糸顎および縫合糸カートリッジの一部分の斜視図である。
【図１５】図１５は、針および縫合糸の貯蔵部分を図示する、縫合糸顎および縫合糸カートリッジの切り取り図である。
【図１６】図１６は、組織が顎の間に配置されている、エンドエフェクタの一部分の側面部分切り取り図である。
【図１７】図１７は、カムがエンドエフェクタを通って前進する場合の、図１６のエンドエフェクタの側面部分切り取り図である。
【図１８】図１８は、カムのさらなる前進を示す、図１６のエンドエフェクタの側面部分切り取り図である。
【図１９】図１９は、保持具内に固定された縫合糸および近接していない顎を示す、図１６のエンドエフェクタの側面部分切り取り図である。
【発明を実施するための形態】
【００１８】
本発明の他の特徴は、添付の図面と組み合わせられる以下の詳細な説明から明らかになる。図面は、例として、本開示の原理を図示する。
【００１９】
（実施形態の詳細な説明）
本開示の縫合システムおよび外科手術用縫合器具の実施形態が、図面を参照しながら詳細に説明される。図面において、同じ参照番号は、数枚の図の各々における同一の要素または対応する要素を表す。本明細書中で使用される場合、用語「遠位」とは、外科手術用縫合器具またはその構成要素の、使用者から遠い方の部分をいい、一方で、用語「近位」とは、外科手術用縫合器具またはその構成要素の、使用者に近い方の部分をいう。
【００２０】
本開示の使い捨て装填ユニットが一緒に議論される、縫合システムおよび外科手術用縫合器具は、従来の手順と内視鏡手順との両方の観点で議論されるべきである。本明細書中に記載される縫合システムおよび外科手術用縫合器具は、小さい切開にアクセスが制限される手順（関節鏡手順および／または腹腔鏡手順が挙げられるが、これらに限定されない）、ならびに他の非内視鏡（例えば、観血）手順において用途を見出し得ることが想定される。
【００２１】
ここで図面を参照すると、図面において、同じ参照番号は、本発明のシステムおよび器具の類似の構造要素を確認する役に立つ。図１には、縫合システムが図示されており、一般に、参照番号５により表される。縫合システム５は、ある量の縫合糸１０、少なくとも１つの針２０、および少なくとも１つの保持具３０を備える。縫合糸１０の一部分と保持具３０との両方は、生体適合性材料から作製される。この生体適合性材料は、患者の身体内で吸収可能であり得る。
【００２２】
ここで図２を参照すると、針２０の各々は、テーパ状の近位端２１、およびこのテーパ状の近位端２１を横切る溝２２を有し、この溝は、縫合糸１０の一部分を内部に受容して取り外し可能に保持するためのものである。針２０は、各針２０の溝２２が、隣接位置に位置する少なくとも１つの他の針２０の溝２２と整列するように、配置される。
【００２３】
ここで図３および４を参照すると、保持具３０は本体３１を備え、この本体は、この本体を通る開口部分３２を規定する。開口部分３２の形状は、中心通路３３（これは、長手方向軸「ｘ」を規定する）と、直径方向に対向する１対のスロット３４（中心通路３３から半径方向外向きに延びる）とにより規定される。開口部分３２は、実質的に円形の中心と、この実質的に円形の中心から半径方向外向きに延びる２つの対向する矩形とにより規定される、断面がФ字型の穴を、本体３１に形成する。中心通路３３は、この中心通路を通る針２０の通過を可能にするためのサイズにされた、実質的に一定の円柱の形状を有する。
【００２４】
締め付け路セクション３５が、スロット３４から延びる２つの突出部４０ａ、４０ｂにより規定される。各突出部４０ａ、４０ｂは、スロット３４の側壁のうちの１つから延びる。２つの突出部４０ａ、４０ｂの各々は、近位表面４２、遠位表面４３、および頂点４４を有する。近位表面４２は、長手方向軸「ｘ」に対して、長手方向軸「ｘ」と交差する遠位表面４３により形成される角度より大きい角度を形成する。その結果、遠位表面４３の面積は、近位表面４２の面積より大きい。締め付け路セクション３５は、第一の方向「ａ」への縫合糸１０の一部分の通過を可能にし、そして第二の方向「ｂ」への縫合糸１０の一部分の通過を妨げる。
【００２５】
本体３１の外周は、形状がほぼ円形であるように開示されるが、このことは限定であると解釈されるべきではない。この本体はまた、ほぼ楕円形、矩形、または三角形の形状であってもよい。この本体は、これらの形状のうちの１つ以上を一緒に連結する外周を有すること、および１本より多くの縫合糸が１つの本体内に保持されてもよいこともまた想定される。
【００２６】
本明細書中で議論され、そして図４に図示されるように、締め付け路セクション３５は、ずれた頂点４４を有する２つの突出部４０ａ、４０ｂを有し、その結果、一方の頂点は、他方の頂点より長手軸方向に高い。図４ａの保持具の別の実施形態に示されるように、これらの頂点は、互いに隣接することもまた想定される。隣接する頂点４４は、すぐ近くに近接する。締め付け路セクション３５はまた、１つの突出部、または２つより多くの突出部のいずれかを含んでもよい。
【００２７】
本明細書中で議論されるように、縫合糸１０の一部分は、従来の円柱形の形状であるが、縫合糸１０の一部分が、縫合糸保持具３０の締め付け路セクション３５内への縫合糸１０の一部分の保持を補助するような構成にされた、一連のテーパ状セクションを備えることが想定される。
【００２８】
中心通路３３が実質的に円錐の形状を有することもまた想定される。
【００２９】
ここで図５〜１０を参照すると、使用において、保持具３０が組織の片側に配置され、そして針２０が、この組織の他方の側に配置される。針２０は、保持具３０の長手方向軸「ｘ」と整列する。力Ｆが針２０に付与されると、針２０および縫合糸１０の一部分が強制的にこの組織に貫入させられ、針２０を保持具３０の中心通路３２内に延ばす。
【００３０】
力Ｆを続けて付与すると、針２０のテーパ状の近位端２１が移動して、溝２２が保持具３０を越える。その結果、縫合糸１０の一部分が強制的に、保持具３０の締め付け路セクション３５に入って通る。近く近接している頂点４４が、縫合糸１０の一部分を挟むかまたは圧迫し、この縫合糸を保持具３０内で適所に保持し、そして針２０が取り除かれることを可能にする。
【００３１】
図１１に示される外科手術用縫合器具１００もまた開示される。本開示の種々の実施形態が、添付の図面を参照しながら本明細書中以下に説明される。周知の機能または構造は、本開示を不必要な細部においてあいまいにすることを回避するために、詳細には記載されない。当業者は、本開示が内視鏡器具または観血器具のいずれと共に使用されるようにも適合され得ることを理解する。
【００３２】
この外科手術用縫合器具は、装填ユニット（例えば、単回使用装填ユニット（「ＳＵＬＵ」）または使い捨て装填ユニット  （「ＤＬＵ」）を備える。簡単にするために、本明細書中以下で、ＳＵＬＵおよびＤＬＵは「ＳＵＬＵ」と称されるが、ＤＬＵまたはＳＵＬＵのうちのいずれかまたは両方を包含することが理解されるべきである。
【００３３】
縫合糸２１０、針２２０、および保持具２３０は、それぞれ縫合糸１０、針２０、および保持具３０と実質的に類似であるので、これらの間の違いに関してのみが説明される。
【００３４】
外科手術用縫合器具１００の多くの構成要素は、米国特許第６，０３２，８４９号に実質的に記載されてるとおりであり、この米国特許は、その全体が本明細書中に参考として援用される。本開示のエンドエフェクタ１４０の実施形態は、内視鏡構造と観血構造との両方の、他の公知のステープル留めデバイスに関連して使用され得ることが想定される。これらのデバイスとしては、関節運動デバイスおよび非関節運動デバイス、ならびに再使用可能デバイスおよび再使用不可能デバイスが挙げられる。
【００３５】
外科手術用縫合器具１００は、ハンドルアセンブリ１１０、細長部材１２０、およびエンドエフェクタ１４０を備える。ハンドルアセンブリ１１０は、静止グリップ部材１１１、旋回可能トリガ１１２、および回転ノブ１１３を備える。起動機構１１４は、ハンドルアセンブリ１１０内に位置し、そして旋回可能トリガ１１２に作動可能に接続される。起動機構１１４は、細長部材１２０を通って延び、そしてエンドエフェクタ１４０と作動可能に接続される。旋回可能トリガ１１２は、１回以上の起動行程により起動されて、起動機構１１４をエンドエフェクタ１４０内で前進させる。
【００３６】
細長部材１２０は、ハンドルアセンブリ１１０から遠位に延び、そして長手方向軸「ｙ」、近位端１２１、および遠位端１２２を規定する。道具１３０（例えば、ＳＵＬＵ）が、細長部材１２０の遠位端１２２に取り付けられる。道具１３０は、細長部材１２０に解放可能に取り付けられるように適合され、そして近位本体部分１３１およびエンドエフェクタ１４０を備える。エンドエフェクタ１４０は、保持具顎１５０および縫合糸顎１６０を備え、これらは、間に組織を捕捉してクランプするためにそれぞれ使用される。縫合糸顎１６０および保持具顎１５０は、互いに対して、開位置とクランプ位置または近接位置との間で旋回可能である。
【００３７】
起動機構１１４の前進により、縫合糸顎１６０が保持具顎１５０に対して、開位置とクランプ位置との間で動き、そして縫合糸２１０を縫合糸カートリッジ１６１から排出する。あるいは、この起動行程は、保持具顎１５０を静止している縫合糸顎１６０の方へと旋回させ得る。
【００３８】
ここで図１２〜１５を参照すると、縫合糸顎１６０は、少なくとも１つの取り外し可能に固定された縫合糸２１０を収容する縫合糸カートリッジ１６１を備え、そして保持具顎１５０は、少なくとも１つの取り外し可能に固定された保持具２３０を収容する相補的な保持具カートリッジ１５１を備える。縫合糸カートリッジ１６１と保持具カートリッジ１５１との両方が交換可能であり、そしてそれぞれの顎内に取り外し可能に固定される。縫合糸カートリッジ１６１と保持具カートリッジ１５１との両方は、それぞれ、縫合糸２１０および保持具２３０の１つ以上の相補的な列を収容することが想定される。
【００３９】
ここで図１４〜１５を参照すると、本開示の１つの実施形態に従うエンドエフェクタ１４０が図示されている。縫合糸カートリッジ１６１は、縫合糸顎１６０の縫合糸カートリッジチャネル１６６内に配置されている。縫合糸カートリッジチャネル１６６は、内部に縫合糸カートリッジ１６１を受容するような寸法および構成にされている。縫合糸カートリッジ１６１は、縫合糸カートリッジ１６１のいずれかの側に沿って形成されたタブ１６２を備え、これらのタブは、縫合糸カートリッジチャネル１６６のいずれかの側に沿って形成された、対応するタブ凹部１６８に固定されるような寸法および構成にされている。タブ凹部１６８は、内部に縫合糸カートリッジ１６１のタブ１６２を保持し、位置決めし、そして整列させるように構成される。他の任意の従来の方法を使用して、縫合糸カートリッジ１６１を縫合糸カートリッジチャネル１６６内で固定し得る。
【００４０】
縫合糸カートリッジ１６１は、複数の針２２０の直線の列および相補的な針開口部１６４を備える。各針開口部１６４は、縫合糸通路１６５によって、別の針開口部１６４に連結される。ナイフスロット１６３が、針２２０の直線の列のうちの少なくとも２つを分離し、そして図１７に見られるように、このナイフスロットを通るナイフ１１５の通過を可能にする。長手軸方向スロット１６９が、縫合糸カートリッジチャネル１６６の頂部に沿って長手軸方向に延びて、縫合糸カートリッジチャネル１６６に対するナイフ１１５の位置のさらなる固定点および視覚指標を提供し得る。
【００４１】
針２２０の各列は、縫合糸カートリッジ１６１内で長手方向軸「ｙ」に対して平行であり、一方で、各個々の針２２０は、長手方向軸「ｙ」に対して垂直である。針２２０の各列は、各針２２０の溝が隣接位置に位置する少なくとも１つの他の針２２０の溝と整列するように、配置される。各針２２０は、針ベース１６７に接続される。複数の針２２０が、１つの針ベース１６７に接続され得る。
【００４２】
縫合糸カートリッジ１６１は、カム部材１１６を収容し、このカム部材は、針ベース１６７に作用し、針２２０を順番に、長手方向軸「ｙ」に対して垂直に移動させて、針２２０を縫合糸カートリッジ１６１から延ばす。針２２０が縫合糸カートリッジ１６１から延びると、針２２０および縫合糸２１０は強制的に組織に通され、そして保持具に入る。
【００４３】
ここで図１２〜１３を参照すると、保持具カートリッジ１５１は、一連の保持具凹部１５２内に取り外し可能に固定された一連の保持具２３０、および保持具２３０の開口部分と整列する一連の穴１５３を備える。一連の穴１５３は、縫合糸カートリッジ１６１の針２２０の列と相補的である。保持具２３０は、２つの開口部分を有し、そして穴１５３と整列して、針２２０のうちの少なくとも１つおよび縫合糸２１０の一部分が、保持具２３０を通過して穴１５３に入ることを可能にする。縫合糸２１０は、針２２０間にたるみを有するように針２２０に差し込まれて、様々な厚さの組織に適応する。
【００４４】
針２２０および保持具２３０が湾曲した顎に沿って整列することもまた想定される。
【００４５】
ここで図１６および１９を参照すると、本開示はまた、外科手術用縫合器具１００を使用するための外科手術方法に関する。
【００４６】
組織の解剖中に、エンドエフェクタ１４０は、当該分野において公知であるアクセスデバイスを通して、外科手術部位にアクセスするように適合される。このことを達成するために、細長部材１２０がカニューレ（図示せず）を通して挿入される際に、保持具顎１５０および縫合糸顎１６０を備えるエンドエフェクタ１４０は、クランプ位置または近接位置に維持される。その後、顎１５０、１６０が開かれ得、そして外科手術用縫合器具１００をクランプして起動することによって、組織が接合および／または切断され得る。
【００４７】
図１６に示されるように、組織は、保持具顎１５０と縫合糸顎１６０との間に配置される。旋回可能トリガ１１２が起動されると、起動機構１１４は、図１７に図示されるように、縫合糸顎１６０に沿って遠位に駆動され、同時に、カム１１６およびナイフ１１５を押して組織を切断する。カム１１６が長手方向軸「ｙ」に沿って前進すると、カム１１６は、針ベース１６７に作用して、針２２０および縫合糸２１０を縫合糸カートリッジ１６１から垂直に移動させる。針２２０および縫合糸２１０の一部分は、組織を通って延び、そして保持具２３０に入り、そして保持具２３０を部分的に通る。
【００４８】
針ベース１６７を横切るカム１１６の前進が完了すると、起動機構１１４が遠位に引き込まれる。起動機構１１４が引き込まれると、カム１１６およびナイフ１１５もまた遠位に引き込まれ、針２２０が垂直に引き込まれて縫合糸カートリッジ１６１に入ることを可能にする。針２２０が引き込まれると、縫合糸２１０が針２２０から解放され、そして保持具２３０内で適所にロックされる。
【００４９】
エンドエフェクタ１４０が組織を解放する際に、保持具２３０は、保持具カートリッジ１６１から分離される。起動機構１１４が完全に引き込まれた後に、外科手術用縫合器具１００は、外科手術部位から取り除かれ得る。保持具顎１５０と縫合糸顎１６０との間のギャップの幅を調節することによって、外科手術用縫合器具１００を種々の組織の厚さに対して使用することが可能になる。
【００５０】
種々の改変が、本明細書中に開示された実施形態に対してなされ得ることが理解される。例えば、カートリッジアセンブリの表面のサイズ、角度および／または湾曲が、特定の外科手術手順によりよく適合するために改変され得る。従って、上記説明は、限定であると解釈されるべきではなく、単に、種々の実施形態の例示であると解釈されるべきである。当業者は、添付の特許請求の範囲の趣旨および範囲内で、他の改変を予測する。
【符号の説明】
【００５１】
１０  縫合糸
２０  針
２１  近位端
２２  溝
３０  保持具
３１  本体
３２  開口部分
３３  中心通路
３４  スロット
３５  締め付け路セクション
３４  スロット
４０ａ、４０ｂ  突出部
【図１】
2011147770.tif 000003
【図２】
2011147770.tif 000004
【図３】
2011147770.tif 000005
【図４】
2011147770.tif 000006
【図４ａ】
2011147770.tif 000007
【図５】
2011147770.tif 000008
【図６】
2011147770.tif 000009
【図７】
2011147770.tif 000010
【図８】
2011147770.tif 000011
【図９】
2011147770.tif 000012
【図１０】
2011147770.tif 000013
【図１１】
2011147770.tif 000014
【図１２】
2011147770.tif 000015
【図１３】
2011147770.tif 000016
【図１４】
2011147770.tif 000017
【図１５】
2011147770.tif 000018
【図１６】
2011147770.tif 000019
【図１７】
2011147770.tif 000020
【図１８】
2011147770.tif 000021
【図１９】
2011147770.tif 000022